(57)【要約】【課題】  支柱の構築に要する費用および時間が省けるので、メッシュフェンスの工期および構築費用を大幅に削減にすることができる。【解決手段】  既設のネットフェンスのネット金網を取り外し、次いで、胴縁を取り外し、そして、残された断面形状ハット形の支柱１に、上下端をＬ形に折り曲げて胴縁部を形成したメッシュ金網２を固定してメッシュフェンスを構築し、メッシュ金網２は、支柱１のリップ部に形成されている上部爪部１Ａにメッシュ金網２の下部横桟４Ａを引っ掛け、且つ、支柱１の山部に形成されているボルト孔に挿通したボルト５により固定金具７を介してメッシュ金網２の上部横桟４Ｂを固定して支柱１に固定する。【選択図】  図２
2006028997.tif 000002
【特許請求の範囲】
【請求項１】
既設のネットフェンスのネット金網を取り外し、次いで、胴縁を取り外し、そして、残された断面形状ハット形の支柱に、上下端を折り曲げて胴縁部を形成したメッシュ金網を固定してメッシュフェンスを構築し、前記メッシュ金網は、前記支柱のリップ部にもともと形成されている爪部に前記メッシュ金網の横桟を引っ掛け、且つ、前記支柱の山部にもともと形成されているボルト孔に挿通したボルトにより固定金具を介して前記メッシュ金網の別の横桟を固定して前記支柱に固定することを特徴とする、メッシュフェンスの構築方法。
【請求項２】
前記メッシュ金網の前記胴縁部は、Ｌ状に形成されていることを特徴とする、請求項１記載の、メッシュフェンスの構築方法。
【請求項３】
前記メッシュ金網の前記胴縁部は、リング状に形成されていることを特徴とする、請求項１記載の、メッシュフェンスの構築方法。
【請求項４】
前記固定金具は、前記ボルトの径に合せてＵ字状に形成され、前記メッシュ金網の横桟が入り込む溝が形成されていることを特徴とする、請求項１から３の何れか１つに記載の、メッシュフェンスの構築方法。
【発明の詳細な説明】
【技術分野】
【０００１】
この発明は、メッシュフェンスの構築方法、特に、既存のネットフェンスの支柱をそのまま使用することによって、工期および構築費用を大幅に削減にすることができる、メッシュフェンスの構築方法に関するものである。
【背景技術】
【０００２】
従来、比較的安価に構築することができるフェンスとしてネットフェンスがある。このネットフェンスは、図７および図８に示すように、断面形状ハット形の支柱２１と、支柱２１間に固定された、上下端に胴縁２２が取り付けられたネット金網２３とからなっている。胴縁２２は、アングル鋼からなり、ネット金網２３は、菱形金網からなっている。胴縁２２は、ナックル加工された菱形金網の端部に挿通した鉄線２４を、胴縁２２の垂直部に形成された爪２２Ａに引っ掛けることによってネット金網２３に取り付けられている。
【０００３】
胴縁２２の垂直部は、支柱２１のリップ部に形成された爪２１Ｂ内に挿入され、胴縁２２の水平部は、支柱２１の山部に挿通されたボルト２５により固定金具２６を介して固定されている。固定金具２６は、胴縁２２の水平部が嵌め込まれる溝２６Ａを有し、袋ナット２７によって固定されている。
【０００４】
図７および図８には、上胴縁のみが示されているが、下胴縁についてもその固定構造は、上胴縁と基本的に同じである。
【０００５】
ネット金網２３の中間部は、この中間部の金網に挿通した鉄線２８を、鉄線２８が嵌め込まれる溝２９Ａを有する固定金具２９を介してボルト３０、ナット３１により固定されている。
【発明の開示】
【発明が解決しようとする課題】
【０００６】
上述したネットフェンスは、広く構築されているが、近年、ネットフェンスに代えてメッシュフェンスの施工が盛んに行われている。メッシュフェンスは、図９に示すように、樹脂等で被覆された鋼線材からなる縦桟と横桟とを格子状に溶接により組んだメッシュ金網３２を支柱２１間に固定したものであり、外観性に優れ、しかも、メッシュ金網３２は、溶接により格子状に組まれているので、ネット金網２３に比べて変形し難いといった利点を有している。
【０００７】
しかしながら、構築費用がネットフェンスに比べて嵩むことから、安価なメッシュフェンスの構築方法の開発が強く望まれている。
【０００８】
従って、この発明の目的は、工期および構築費用を大幅に削減にすることができる、メッシュフェンスの構築方法を提供することにある。
【課題を解決するための手段】
【０００９】
本願発明者は、上記要望に答えるべく、鋭意検討を重ねた。この結果、既存のネットフェンスのリニューアル時期に、ネットフェンスの支柱をメッシュフェンスの支柱としてそのまま利用すれば、メッシュフェンスの工期および構築費用を大幅に削減できるといった知見を得た。
【００１０】
なお、メッシュフェンス用支柱２１は、例えば、図９に示すように、支柱２１の下部が挿入可能な凹部３３Ａを形成したコンクリート基礎３３を地中に施工し、凹部３３Ａ内に支柱２１の下部を挿入した後、凹部３３Ａ内にモルタルを打設し、硬化させることによって構築される。従って、支柱２１の構築には時間と手間を要していた。ネットフェンスにおいても支柱の構築法は、基本的にはメッシュフェンスにおけると同様である。
【００１１】
この発明は、上述した知見に基づきなされたものであって、下記を特徴とするものである。
【００１２】
請求項１記載の発明は、既設のネットフェンスのネット金網を取り外し、次いで、胴縁を取り外し、そして、残された断面形状ハット形の支柱に、上下端を折り曲げて胴縁部を形成したメッシュ金網を固定してメッシュフェンスを構築し、前記メッシュ金網は、前記支柱のリップ部にもともと形成されている爪部に前記メッシュ金網の横桟を引っ掛け、且つ、前記支柱の山部にもともと形成されているボルト孔に挿通したボルトにより固定金具を介して前記メッシュ金網の別の横桟を固定して前記支柱に固定することに特徴を有するものである。
【００１３】
請求項２記載の発明は、請求項１記載の発明において、メッシュ金網の胴縁部は、Ｌ状に形成されていることに特徴を有するものである。
【００１４】
請求項３記載の発明は、請求項１記載の発明において、メッシュ金網の胴縁部は、リング状に形成されていることに特徴を有するものである。
【００１５】
請求項４記載の発明は、請求項１から３の何れか１つに記載の発明において、固定金具は、ボルトの径に合せてＵ字状に形成され、メッシュ金網の横桟が入り込む溝が形成されていることに特徴を有するものである。
【発明の効果】
【００１６】
この発明によれば、支柱の構築に要する費用および時間が省けるので、工期および構築費用を大幅に削減にすることができる。
【発明を実施するための最良の形態】
【００１７】
この発明の、メッシュフェンスの構築方法の一実施態様を、図面を参照しながら説明する。
【００１８】
図１は、この発明の構築方法により構築されたメッシュフェンスの部分正面図、図２は、図１のＡ方向視図、図３は、図１のＢ方向視図、図４は、この発明の構築方法により構築された別のメッシュフェンスの部分側面図、図５は、この発明の構築方法により構築されたさらに別のメッシュフェンスの一部切り欠き側面図、図６は、上下のメッシュ金網を連結する固定金具を示す側面図である。
【００１９】
図１から図３において、１は、断面形状ハット形の支柱であり、既設のネットフェンスの支柱である。２は、支柱１に取り付けられたメッシュ金網であり、樹脂等で被覆された鋼線材からなる縦桟３と横桟４とを格子状に溶接により組んだものからなっている。メッシュ金網２は、その上下端部がＬ形に折り曲げられることによって胴縁部が形成されている。胴縁部の下部横桟４Ａは、支柱１のリップ部に形成されている上部爪部１Ａに引っ掛けられ、胴縁部の上部横桟４Ｂは、支柱１の頭部に形成されているボルト孔１Ｃに挿通したボルト５および袋ナット６により固定金具７を介して支柱１に固定されている。固定金具７は、ボルト５の径に合せてＵ字形に形成され、上部横桟４Ｂが入り込む溝７Ａが形成されている。
【００２０】
支柱１に形成されている上部爪部１Ａおよびボルト孔１Ｃは、既設のネットフェンスのネット金網を取り付ける際に使用したものであり、既に形成されているものである。図１から図３には、上胴縁部のみが示されているが、下胴縁部についてもその固定構造は、上胴縁部と基本的に同じである。
【００２１】
次に、この発明によるメッシュフェンスの構築法について説明する。
【００２２】
先ず、既設のネットフェンスのネット金網を取り外す。次いで、胴縁を取り外し、そして、残された断面形状ハット形の支柱１に、上下端をＬ形に折り曲げて胴縁部を形成したメッシュ金網２を固定する。メッシュ金網２を固定するには、胴縁部の下部横桟４Ａを支柱１の上部爪部１Ａに引っ掛けて、メッシュ金網２を仮置きする。メッシュ金網２の仮置きに際して、もともと形成されている上部爪部１Ａを利用することができるので、仮置きのための新たな手段を講じる必要がない。次に、支柱１の頭部にもともと形成されているボルト孔１Ｃにボルト５を通し、固定金具７の溝７Ａに胴縁部の上部横桟４Ｂを嵌め込んで、袋ナット６により固定する。このようにして、メッシュ金網２の上部胴縁部を支柱１に固定するが、下部胴縁部も上部胴縁部におけると同様に固定する。下部胴縁部の固定に際して、支柱１の下部爪部１Ｂ（図５参照）が邪魔になる場合には、下部爪部１Ｂを押し戻して平らにしておく。上部爪部１Ａと下部爪部１Ｂとが上下逆向きに形成されているので、下部横桟を下部爪部１Ｂ内に入れ難いからである。
【００２３】
この発明によれば、既設のネットフェンスの支柱１を、メッシュフェンスにそのまま使用するので、メッシュフェンスの工期および構築費用を大幅に削減にすることができる。
以上は、Ｌ形胴縁のメッシュ金網２の場合であるが、図４に示すように、リング状胴縁部のメッシュ金網にも適用可能である。この場合、リング状胴縁部は、支柱１の上端より突出し、固定金具７の溝７Ａに嵌め込む横桟４Ｃは、リング状胴縁部の直下の横桟であり、上部爪部１Ａに嵌め込む横桟４Ｄは、横桟４Ｃの直下の横桟である。
【００２４】
上述のように、下部胴縁部の固定に際して、支柱１の下部爪部１Ｂが邪魔になる場合には、下部爪部１Ｂを押し戻して平らにしておくが、図５に示すように、メッシュ金網を上下対称に形成し、上部金網２Ａの下部横桟４Ｅと下部金網２Ｂの上部横桟４Ｆとをそれぞれ固定金具７と同様な構造の固定金具８を用いてボルト９により固定すれば、支柱１の下部爪部１Ｂを平らに押し戻す必要はなく、そのまま利用できる。
【００２５】
また、固定金具８を使用せずに、図６に示すように、２枚の板材からなる固定金具１０間に下部横桟４Ｅと上部横桟４Ｆとを挟み込み、ボルト１１によって固定金具１０を締め付けて両横桟４Ｅと４Ｆとを連結しても良い。さらに、固定金具８と固定金具１０とを併用して使用しても良い。
【図面の簡単な説明】
【００２６】
【図１】この発明の構築方法により構築されたメッシュフェンスの部分正面図である。
【図２】図１のＡ方向視図である。
【図３】図１のＢ方向視図である。
【図４】この発明の構築方法により構築された別のメッシュフェンスの部分側面図である。
【図５】この発明の構築方法により構築されたさらに別のメッシュフェンスの一部切り欠き側面図である。
【図６】上下のメッシュ金網を連結する固定金具を示す側面図である。
【図７】ネットフェンスを示す部分正面図である。
【図８】ネットフェンスを示す部分側面図である。
【図９】従来のメッシュフェンスを示す正面図である。
【符号の説明】
【００２７】
１：支柱
１Ａ：上部爪部
１Ｂ：下部爪部
１Ｃ：ボルト孔
２：メッシュ金網
２Ａ：上部金網
２Ｂ：下部金網
３：縦桟
４：横桟
４Ａ：下部横桟
４Ｂ：上部横桟
４Ｃ：胴縁直下の横桟
４Ｄ：４Ｃ直下の横桟
４Ｅ：下部横桟
４Ｆ：上部横桟
５：ボルト
６：袋ナット
７：固定金具
７Ａ：溝
８：固定金具
９：ボルト
１０：固定金具
１１：ボルト
２１：支柱
２１Ａ：爪
２２：胴縁
２２Ａ：爪
２３：ネット金網
２４：鉄線
２５：ボルト
２６：固定金具
２６Ａ：溝
２７：袋ナット
２８：鉄線
２９：固定金具
２９Ａ：溝
３０：ボルト
３１：ナット
３２：メッシュ金網
３３：コンクリート基礎
３３Ａ：凹部
【図１】
2006028997.tif 000003
【図２】
2006028997.tif 000004
【図３】
2006028997.tif 000005
【図４】
2006028997.tif 000006
【図５】
2006028997.tif 000007
【図６】
2006028997.tif 000008
【図７】
2006028997.tif 000009
【図８】
2006028997.tif 000010
【図９】
2006028997.tif 000011